(57)【要約】【課題】表示音響装置と携帯通信端末が別々の構造体からなる車載通信装置を提供する。【解決手段】表示音響装置２が表示画面部２１、音響出力部２２、入力操作部２３及び２４を持ちユーザーインタフェースを構成し、携帯通信端末３が表示画面部、音響出力部、入力操作部を持たないでネットワークインタフェースを構成し、表示音響装置２と携帯通信端末３とが有線４で互いに接続され、表示音響装置２及び携帯通信端末３が自動車のバッテリーから供給された電力で作動した状態において、自動車の乗員が入力操作部２３及び２４を操作することで携帯通信端末３がネットワークインタフェースとして動作して表示音響装置２の表示画面部２１に表示される表示データを変更できるうえ、表示画面部２１が携帯電話機の表示画面よりも大きな表示面積の表示画面を形成することで表示データを携帯電話機の表示画面に表示される大きさよりも大きく表示できる。【選択図】図１
2019201258.tif 000002
【特許請求の範囲】
【請求項１】
表示音響装置と携帯通信端末とを備えた車載通信装置であって、前記表示音響装置と前記携帯通信端末とが別々の構造体として分かれて通信可能に接続される構成であり、前記表示音響装置が表示画面部及び音響出力部並びに入力操作部を持ちユーザーインタフェースを構成し、前記携帯通信端末が表示画面部及び音響出力部並びに入力操作部を持たないでネットワークインタフェースを構成したことを特徴とすることを特徴とする車載通信装置。
【発明の詳細な説明】
【技術分野】
【０００１】
本発明は、表示画面部及び音響出力部並びに入力操作部を持ちユーザーインタフェースを構成する表示音響装置と、表示画面部及び音響出力部並びに入力操作部を持たないでネットワークインタフェースを構成する携帯通信端末とを備えた車載通信装置に関する。
【背景技術】
【０００２】
特許文献１の段落０１０２乃至０１０６及び図１２で開示された車載通信装置は、携帯電話機の表示画面よりも表示面積の大きな表示画面を有する表示音響装置及び電話挿入口部が自動車のダッシュボードに設置され、乗員により携帯電話機が電話挿入口部に差し込まれて表示音響装置と接続され、携帯電話機及び表示音響装置が自動車のバッテリーから供給された電力で作動した状態において、携帯電話機がネットワークのサーバーからウェブページ等の表示データを受信して携帯電話機の表示画面に表示しかつ前記表示データを表示音響装置に転送し、表示音響装置の表示画面が携帯電話機から転送された表示データを携帯電話機の表示画面に表示される大きさよりも大きく表示するようになっている。しかしながら、携帯電話機を操作しなければ、表示音響装置者の表示画面に表示される表示データを変更できない。
【先行技術文献】
【特許文献】
【０００３】
【特許文献１】特許第４９２３２６９号公報
【発明の概要】
【発明が解決しようとする課題】
【０００４】
本発明は、上記背景技術に鑑みてなされたものであり、自動車の乗員が表示音響装置を操作することで携帯通信端末がネットワークインタフェースとして動作して表示音響装置の表示画面部に表示される表示データを変更できる車載通信装置の提供を目的とする。
【課題を解決するための手段】
【０００５】
本発明は、表示音響装置と携帯通信端末とを備えた車載通信装置であって、前記表示音響装置と前記携帯通信端末とが別々の構造体として分かれて通信可能に接続される構成であり、前記表示音響装置が表示画面部及び音響出力部並びに入力操作部を持ちユーザーインタフェースを構成し、前記携帯通信端末が表示画面部及び音響出力部並びに入力操作部を持たないでネットワークインタフェースを構成することを特徴とする。
【発明の効果】
【０００６】
本発明は、自動車の乗員が表示音響装置の入力操作部を操作することで携帯通信端末がネットワークインタフェースとして動作して表示音響装置の表示画面部に表示される表示データを変更できるうえ、表示音響装置の表示画面部が携帯電話機の表示画面よりも大きな表示面積の表示画面を形成することで表示データを携帯電話機の表示画面に表示される大きさよりも大きく表示できる。
【図面の簡単な説明】
【０００７】
【図１】発明を実施するための形態に係る車載通信装置を示す構成図。
【図２】発明を実施するための形態に係る表示画面部の端末情報確認用画面表示態様を示す模式図。
【図３】発明を実施するための形態に係る表示画面部のＳＭＳ画面表示態様を示す模式図。
【発明を実施するための形態】
【０００８】
図１に示した発明を実施するための形態に係る車載通信装置１は、表示音響装置２と携帯通信端末３とを備えている。表示音響装置２と携帯通信端末３とが別々の構造体として分かれて通信可能に接続される構成であることにより、表示音響装置２及び携帯通信端末３の一方が修理不可能に故障した場合にはその故障した方を新しいものに交換することで車載通信装置１として使用可能になる。図１では、表示音響装置２と携帯通信端末３とが有線４で互いに通信可能に接続された構成を例示したので、表示音響装置２と携帯通信端末３との間での通信の漏洩が無線による場合よりも減少する。
【０００９】
表示音響装置２は、自動車の車内に設けられ、表示画面部２１と音響出力部２２と音声入力部２３と手動入力部２４と制御部２５と記憶部２６と接続部２７とを備え、乗員の指示を携帯通信端末３に伝えるための或いは携帯通信端末３からの出力を乗員に伝えるためのユーザーインタフェースを構成する。
【００１０】
表示画面部２１は、携帯電話機の表示画面より表示面積の大きな例えば９インチ、１０インチ又は１１インチ以上等の表示画面を有する。表示画面部２１の表示画面の大きさは上記１０インチに限定されるものではない。音声入力部２３及び手動入力部２４は乗員の指示を携帯通信端末３に伝えるための入力操作部を構成する。
【００１１】
手動入力部２４は押しボタンのような物理的なスイッチに限定されるものではなく、表示画面部２１がタッチパネルを構成する場合は、手動入力部２４は表示画面部２１に表示されたタッチスイッチ部と表示画面部２１の周囲に設けられた押しボタンのような物理的なスイッチとにより構成してもよい。
【００１２】
携帯通信端末３は、自動車の車内に設けられ、表示画面部及び音響出力部並びに入力操作部を持たないで、送受信部３１と制御部３２とランチャー部３３と記憶部３４とバッテリー部３５と電源スイッチ部３６と接続部３７とを備え、ネットワーク５に接続されたサーバー６との移動通信を行うためのネットワークインタフェースを構成する。
【００１３】
携帯通信端末３の電源スイッチ部３６がオン操作され、表示音響装置２の接続部２７と携帯通信端末３の接続部３７とが有線４で互いに接続され、表示音響装置２及び携帯通信端末３が自動車のバッテリーから供給された電力で作動した状態において、表示音響装置２がユーザーインタフェースとして動作し、携帯通信端末３が制御部３４の制御でネットワークインタフェースとして動作して、携帯通信端末３の送受信部３１がサーバー６から取得した表示データを記憶部３４に記憶しかつ表示音響装置２に送信し、表示画面部２１が携帯電話機の表示画面に表示される大きさよりも大きく表示することができる。
【００１４】
表示音響装置２及び携帯通信端末３が自動車のバッテリーから供給された電力で作動した状態において、例えば、ランチャー部３１があらかじめ登録されているアプリケーションやファイルを表示音響装置２の表示画面部２１にアイコンで一覧表示させ、表示音響装置２の表示画面部２１に表示されたアイコンが乗員からの操作を受け、表示画面部２１が前記乗員からの操作を受けたアイコンに相当する起動要求を携帯通信端末３に出力する。
【００１５】
すると、ランチャー部３１があらかじめ登録されているアプリケーションを起動して当該アプリケーションに基づく表示データを有線４を経由して表示音響装置２に出力し、表示音響装置２の表示画面部２１がランチャー部３１から入力されたアプリケーション基づく表示データを可視できるように表示する。
【００１６】
又、制御部３２は、ネットワークを経由してサーバーからＦＯＴＡ（Firmware On-The-Airの略称）の更新通知やメニューの更新通知を受け取る。この制御部３２が受け取ったＦＯＴＡの更新通知やメニューの更新通知に基づく表示データは、ランチャー部３１が有線４を経由して表示音響装置２に出力し、表示音響装置２の表示画面部２１がランチャー部３１から入力されたＦＯＴＡの更新通知やメニューの更新通知に基づく表示データを可視できるように表示する。
【００１７】
メニューとしては、例えば、ＯＳＳ（Open Source Softwareの略称）、ＳＭＳ（Short Message Serviceの略称）、カーナビゲーション、エンタメ、ユーティリティ、テザリング、電話番号及び端末識別番号等の端末情報、自動車のメンテナンスや走行制限、言語設定、キーイベント、実行確認、音楽の再生、音声再生、ＴＶ放送、ラジオ放送、時刻表示、保守運用等に関するものが考えられる。
【００１８】
制御部３２がネットワークを経由してサーバーからＦＯＴＡの更新通知やメニューの更新通知を製造元から受け取ってインストールすることよって、ＦＯＴＡの更新通知やメニューの更新通知のし忘れを防止することができる。
【００１９】
ランチャー部３３の機能として、カテゴリー、ラストソース保存、起動パラメータ、目的地検索画面起動、地図画面起動、エンタメランチャー起動、端末情報確認用画面表示態様、キーイベント、ＳＭＳ画面表示態様等の各機能を例として説明する。
【００２０】
カテゴリーでは、ランチャー部３３が表示画面部２１にエンタメ、ユーティリティ、メンテナンスのアプリの情報を表示させる。
【００２１】
ラストソース保存では、ランチャー部３３が記憶部２６及び３４にエンタメ及びユーティリティからなるカテゴリー別に起動中のアプリを保存する。保存したアプリの情報はラストソースの起動で使用する。表示音響装置２からランチャー部３３にラストソースの起動のコマンドが通知されると、通知されたカテゴリーに応じて最後に起動されていたアプリを表示する。最後に起動していたアプリが存在しない場合には各カテゴリーのアプリを表示する。
【００２２】
目的地検索画面起動では、ランチャー部３３が表示音響装置２から目的地検索画面表示通知を受信するとカーナビアプリの目的地検索画面を起動する。地図画面起動では、ランチャー部３３が表示音響装置２から地図画面表示通知を受信するとカーナビアプリの地図画面を起動する。エンタメランチャー起動では、ランチャー部３３が表示音響装置２からエンタメランチャー起動通知を受信するとエンタメランチャーへ画面遷移を行う。
【００２３】
端末情報確認用画面表示態様では、ランチャー部３３が表示音響装置２から端末情報確認用画面表示の指示を受けると表示画面部２１に電話番号、ＩＭＥＩ、ＩＣＣＩＤ、ＯＳＳ情報の項目名からなる画面を表示する。この端末情報確認用画面表示態様は乗員が表示画面部２１に表示されたＯＫボタン又はバックキーの操作で非表示になる。
【００２４】
キーイベントでは、ランチャー部３３が表示音響装置２から再生、停止、一時停止、次曲送り、前曲戻し、早戻し、早送り等のキーイベントを受信して携帯通信端末３の制御部３２に送信する。
【００２５】
ＳＭＳ画面表示では、ランチャー部３３がＳＭＳ受信後に走行制限が解除されると時刻表示領域、ＳＭＳ本文表示領域、既読ボタン表示領域からなるＳＭＳ画面を表示する。ＳＭＳの本文がＳＭＳ本文表示領域に収まらない場合はＳＭＳ本文表示領域を人がスクロール操作するとＳＭＳ本文表示領域がスクロールする。時刻表示領域、既読ボタン表示領域はスクロールせず、ＳＭＳ本文表示領域のみスクロールするようになっている。
【００２６】
ランチャー部３３が制御部３２から設定リセットのイベントを受信するとＳＭＳのデータを記憶部３４から消去し、当該消去した時刻を制御部３４から取得しリセット時刻として記憶部３４に保持させる。
【００２７】
ＳＭＳ画面表示中にアプリの起動要求がランチャー部３３に通知されると、ＳＭＳ画面消去後に前記起動要求が通知されたアプリによる画面に表示する。ＳＭＳ画面表示中に走行制限が設定されるとランチャー部３３がＳＭＳ画面を消去する。既読ボタン表示領域が乗員に操作されると、ランチャー部３３がＳＭＳ画面を消去し、直前に起動していた画面へ遷移する。
【００２８】
しかしながら、既読ボタン表示領域が乗員に操作されたとき、未読メッセージが記憶部３２に複数件存在すると次のＳＭＳを表示する。未読メッセージは新着３通のみを表示する。未読メッセージが存在する場合は最初の停車時に表示する。メッセージの表示順序は新しい順とする。未読メッセージの間に既読メッセージが存在する場合は以降の未読メッセージを表示しない。仮に、新しいから１件目:未読、２件目:既読、３件目:未読、の場合、１件目のみを表示する。ＳＭＳ画面表示中に次に表示するＳＭＳが存在しない場合はボタン文言を「アプリを起動」に変更する。
【００２９】
図２に示した発明を実施するための形態に係る表示画面部２１は、端末情報確認用画面表示態様である。この端末情報確認用画面表示態様は、音響入力部２３又は手動入力部２４が乗員からの操作で端末情報確認用画面表示の指示を有線４経由で携帯通信端末３に出力し、ランチャー部３３が動作して表示画面部２１に表示される。端末情報確認用画面表示態様としては、電話番号表示領域２１１、ＩＭＥＩ表示領域２１２、ＩＣＣＩＤ表示領域２１３、ＯＳＳ表示領域２１４からなる。
【００３０】
電話番号表示領域２１１、ＩＭＥＩ表示領域２１２、ＩＣＣＩＤ表示領域２１３、ＯＳＳ表示領域２１４が表示画面部２１に表示される位置は、図２の位置に限定されるものではない。例えば、電話番号表示領域２１１及びＩＭＥＩ表示領域２１２が表示画面部２１の上部で左右に分かれて配置され、ＩＣＣＩＤ表示領域２１３及びＯＳＳ表示領域２１４が表示画面部２１の下部で左右に分かれて配置されてもよい。
【００３１】
電話番号表示領域２１１には、携帯通信端末３の電話番号が表示される。ＩＭＥＩ表示領域２１２には、携帯通信端末３のＩＭＥＩ（International Mobile Equipment Identityの略称）が表示される。ＩＣＣＩＤ表示領域２１３には、携帯通信端末３のＩＣＣＩＤ（Integrated Circuit Card IDの略称）が表示される。ＯＳＳ表示領域２１４には、ＯＳＳ（Open Source Softwareの略称）情報の項目名が表示される。この端末情報確認用画面表示態様は、音響入力部２３又は手動入力部２４におけるバックキーが乗員からの操作を受けると、前記バックキーの操作信号が携帯通信端末３に出力され、ランチャー部３３が動作して非表示態様になる。
【００３２】
前記ＯＳＳ表示領域２１４に表示されたＯＳＳ情報の項目名が乗員の操作で選択されると、ＯＳＳ表示領域及びＯＫボタン表示領域からなるＯＳＳ確認用画面表示態様になる。ＯＳＳ確認用画面表示態様は、音響入力部２３又は手動入力部２４におけるＯＫボタン又はバックキーが乗員からの操作を受けると、前記ＯＫボタンの操作信号又はバックキーの操作信号が携帯通信端末３に出力され、ランチャー部３３が動作して非表示態様になる。
【００３３】
なお、電話番号表示領域２１１、ＩＭＥＩ表示領域２１２、ＩＣＣＩＤ表示領域２１３、ＯＳＳ表示領域２１４が表示画面部２１に表示される位置は、図２に示した位置に限定さるものでない。
【００３４】
図３に示した発明を実施するための形態に係る表示画面部２１は、ＳＭＳ画面表示態様である。このＳＭＳ画面表示態様は、ランチャー部３３がＳＭＳ受信後に走行制限が解除されると動作して表示画面部２１に表示される。ＳＭＳ画面表示態様としては、時刻表示領域２１４、ＳＭＳ本文表示領域２１５、既読ボタン表示領域２１６からなる。
【００３５】
時刻表示領域２１４、ＳＭＳ本文表示領域２１５、既読ボタン表示領域２１６が表示画面部２１に表示される位置は、図３の位置に限定されるものではない。例えば、時刻表示領域２１４が表示画面部２１の左上部に配置され、ＳＭＳ本文表示領域２１５が表示画面部２１の中央部に配置され、既読ボタン表示領域２１６が表示画面部２１の表示画面部２１の右上部に配置されてもよい。
【００３６】
ＳＭＳの本文がＳＭＳ本文表示領域２１５に収まらない場合はＳＭＳ本文表示領域２１５を人が横方向又は縦方向にスクロール操作するとＳＭＳ本文表示領域２１５が前記スクロール操作の方向にスクロールする。時刻表示領域２１４及び既読ボタン表示領域２１６はスクロールせず、ＳＭＳ本文表示領域２１５のみスクロールするようになっている。
【００３７】
表示画面部２１にＳＭＳ画面表示態様の表示された状態において、既読ボタン表示領域２１６が乗員により操作されると、ＳＭＳ画面表示態様が消去され、直前に起動していた画面へ遷移する。ＳＭＳ画面表示態様の表示中にアプリの起動要求がランチャー部３３に通知されると、ランチャー部３３がＳＭＳ画面消去後に前記起動要求の通知されたアプリによる画面を表示する表示データを表示音響装置２に出力する。これにより、前記起動要求の通知されたアプリによる画面が表示画面部２１に表示される。画面表示中に走行制限が設定されるとＳＭＳ画面は消去する。
【００３８】
表示画面部２１にＳＭＳ画面表示態様の表示された状態において、既読ボタン表示領域２１６が乗員により操作された場合において、未読メッセージが複数件存在すると次のＳＭＳを表示する。ＳＭＳ画面表示時に次に表示するＳＭＳが存在しない場合はボタン文言を「アプリを起動」に変更する。
【００３９】
未読メッセージの表示として、例えば、新着３通のみに限定されるものでものではないが、新着３通のみを表示するようになっており、未読メッセージが存在する場合は最初の停車時に表示する。メッセージの表示順序は新しい順とする。未読メッセージの間に既読メッセージが存在する場合は以降の未読メッセージを表示しない。例えば、新しいから１件目が未読、２件目が既読、３件目が未読の場合、１件目のみが表示される。
【００４０】
ランチャー部３３がＳＭＳ受信した時又は制御部３２の起動完了通知を受信した時に時刻をリセットする。時刻が取得できるまでランチャー部３３がリトライを実施する。ＳＭＳ本文表示領域２１５に表示されるＳＭＳから取得した時刻が時刻表示領域２１４に表示される。ＳＭＳ本文表示領域２１５に表示されるＳＭＳの表示中に別のＳＭＳを受信した場合、追加の表示は実施しない。
【符号の説明】
【００４１】
１    車載通信装置
２    表示音響装置
３    携帯通信端末
４    有線
５    ネットワーク
６    サーバー
２１  表示画面部
２２  音響出力部
２３  音声入力部
２４  手動入力部
２５  制御部
２６  記憶部
２７  接続部
３１  送受信部
３２  制御部
３３  ランチャー部
３４  記憶部
３５  バッテリー部
３３  接続部
【図１】
2019201258.tif 000003
【図２】
2019201258.tif 000004
【図３】
2019201258.tif 000005
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
表示画面部及び音響出力部並びに入力操作部を持ってユーザーインタフェースを構成する表示音響装置と、表示画面部及び音響出力部並びに入力操作部を持たないでネットワークインタフェースを構成する携帯通信端末とが、通信可能に接続された車載通信装置であって、前記携帯通信端末は、ＳＭＳの受信後において、走行制限が解除されると前記表示音響装置の表示画面部に前記ＳＭＳを表示させ、走行制限が設定されると前記前記表示音響装置の表示画面部へのＳＭＳの表示を消去させることを特徴とする車載通信装置。
【請求項２】
前記ＳＭＳの本文が前記表示音響装置の表示画面部におけるＳＭＳ本文表示領域に収まらない場合はＳＭＳ本文表示領域が人からのスクロール操作を受けることで前記携帯通信端末が当該スクロール操作の方向にＳＭＳ本文表示領域をスクロールさせることを特徴とする請求項１記載の車載通信装置。
【請求項３】
前記表示音響装置の表示画面部における既読ボタン表示領域が人からの操作を受けたとき前記携帯通信端末が複数の未読メッセージを有すると最初の停車時に次の新しいＳＭＳを前記表示音響装置の表示画面部に表示させることを特徴とする請求項１記載の車載通信装置。
【請求項４】
前記表示音響装置と前記携帯通信端末とが有線で通信可能に接続されたことを特徴とする請求項１記載の車載通信装置。